(57)【要約】【課題】折り畳み式の携帯端末装置の薄型化を実現することができる携帯端末装置を提供すること。【解決手段】本発明にかかる携帯端末装置１は、主面１００ａに表示部１１を有する第１の筐体１０と、主面２００ａに表示部２１を有する第２の筐体２０と、表示部１１、２１と、ヒンジ３０と、レシーバ１２と、メインマイク２４と、を備える。ヒンジ３０は、第１の筐体１０と第２の筐体２０とを回転軸を中心に連結する。また、ヒンジ３０は、第１及び第２の筐体１０、２０が少なくとも第１の状態において主面１００ａと主面２００ａとをそれぞれ外側に向けて連結する。レシーバ１２は、主面１００ａ上であって軸と平行な第１の方向端部に設けられている。メインマイク２４は、第２の筐体２０の側面のうち第１の方向と反対方向である第２の方向端部の側面２００ｂに設けられている。【選択図】図１
2014068153.tif 000002
【特許請求の範囲】
【請求項１】
第１の筐体と、
第２の筐体と、
前記第１の筐体と前記第２の筐体とを回転軸を中心に連結する連結部と、
前記第１の筐体に収容された第１の基板と、
前記第２の筐体に収容されたバッテリと、を備え、
前記第１の筐体と前記第２の筐体とが厚み方向に重なる第１の状態において、前記第１の基板と前記バッテリとが平面視で重なっていない携帯端末装置。
【請求項２】
前記第１の状態において、前記第１の基板と前記バッテリとが平面視で前記回転軸と平行な方向に並んでいる請求項１に記載の携帯端末装置。
【請求項３】
前記第２の筐体に収容された第２の基板をさらに備え、
前記第２の基板と前記バッテリとが平面視で重なっていない請求項１または２に記載の携帯端末装置。
【請求項４】
前記第２の基板と前記バッテリとが平面視で前記回転軸と平行な方向に並んでいる請求項３に記載の携帯端末装置。
【請求項５】
前記第１の状態において、前記第１の基板と前記第２の基板とが平面視で重なっている請求項３または４に記載の携帯端末装置。
【請求項６】
前記第２の基板の厚みは、前記バッテリの厚みよりも薄い請求項３〜５のいずれか一項に記載の携帯端末装置。
【請求項７】
前記第２の基板の厚みは、前記第１の基板の厚みよりも厚い請求項３〜６のいずれか一項に記載の携帯端末装置。
【請求項８】
前記第１の基板の厚みは、前記バッテリの厚みよりも薄い請求項１〜７のいずれか一項に記載の携帯端末装置。
【請求項９】
前記第１の筐体の第１の面に設けられた第１の表示部と、
前記第２の筐体の第２の面に設けられた第２の表示部と、
前記第１の状態において、前記第１の面と前記第２の面とがそれぞれ外側を向いている請求項１〜８に記載の携帯端末装置。
【請求項１０】
前記第１の基板は、前記第１の表示部を駆動させる駆動回路を有する請求項９に記載の携帯端末装置。
【請求項１１】
前記第１の筐体は、前記第１の面と反対側の第１の背面に、第１の領域と、当該第１の領域よりも前記回転軸に平行な第１の方向側に位置する第２の領域と、を有し、
前記第２の筐体は、前記第２の面と反対側の第２の背面に、第３の領域と、当該第３の領域よりも前記第１の方向側に位置する第４の領域と、を有し、
前記第１の領域における前記第１の筐体の厚みは、前記第２の領域における前記第１の筐体の厚みよりも薄く、
前記第３の領域における前記第２の筐体の厚みは、前記第４の領域における前記第２の筐体の厚みよりも厚く、
前記第１の状態において、前記第１の領域と前記第３の領域とが対向し、前記第２の領域と前記第４の領域とが対向する請求項９または１０に記載の携帯端末装置。
【請求項１２】
前記第１の筐体は、前記第１の領域と前記第２の領域との間に、第１の段差部を有し、
前記第２の筐体は、前記第３の領域と前記第４の領域との間に、第２の段差部を有し、
前記第１の状態において、前記第１の段差部と前記第２の段差部とが係合する請求項１１に記載の携帯端末装置。
【請求項１３】
前記第２の背面にバッテリカバーをさらに備え、
前記バッテリカバーは、前記第３の領域に設けられ、前記第１の方向と反対方向の第２の方向にスライドすることにより、前記第２の筐体から外れる請求項１１または１２に記載の携帯端末装置。
【請求項１４】
前記バッテリカバーは、当該バッテリカバーの内面に、前記第１の方向に突き出た突起部を有し、
前記突起部と前記第２の筐体に設けられた溝部とが係合することにより、前記バッテリカバーが、前記第２の筐体に固定される請求項１３に記載の携帯端末装置。
【請求項１５】
前記連結部は、前記第１及び第２の筐体を、前記第１の状態と、前記第１の面と前記第２の面とが互いに同一方向を向く第２の状態と、に移行可能に、前記第１の筐体と前記第２の筐体とを連結する請求項１〜１４のいずれか一項に記載の携帯端末装置。
【発明の詳細な説明】
【技術分野】
【０００１】
本発明は携帯端末装置に関し、特に折り畳み可能な携帯端末装置に関する。
【背景技術】
【０００２】
近年、携帯電話やスマートフォンなどの携帯端末装置が普及している。特に、携帯電話においては、折り畳み式の端末が広く普及している。また、スマートフォンにおいても、折り畳み可能な端末が提案されている。
【０００３】
例えば、特許文献１には、折り畳み可能に連結された２つの筐体を備える携帯電子機器が開示されている。
【先行技術文献】
【特許文献】
【０００４】
【特許文献１】特開２０１１−１０９４５７号公報
【発明の概要】
【発明が解決しようとする課題】
【０００５】
しかしながら、折り畳み式の携帯端末装置においては、携帯端末装置を折り畳んだ状態において、２つの筐体が厚み方向に重なる。また、各筐体は、基板やバッテリ等の電子部品を収容する。そのため、折り畳まれた携帯端末装置の厚みを薄型化することが難しいという問題がある。
【０００６】
上記課題に鑑み本発明の目的は、折り畳み式の携帯端末装置の薄型化を実現することができる携帯端末装置を提供することである。
【課題を解決するための手段】
【０００７】
本発明の一態様にかかる携帯端末装置は、第１の筐体と、第２の筐体と、前記第１の筐体と前記第２の筐体とを回転軸を中心に連結する連結部と、前記第１の筐体に収容された第１の基板と、前記第２の筐体に収容されたバッテリと、を備え、前記第１の筐体と前記第２の筐体とが厚み方向に重なる第１の状態において、前記第１の基板と前記バッテリとが平面視で重なっていないものである。
【発明の効果】
【０００８】
本発明により、折り畳み式の携帯端末装置の薄型化を実現することができる携帯端末装置を提供することができる。
【図面の簡単な説明】
【０００９】
【図１】実施の形態にかかる開状態の携帯端末装置の正面図である。
【図２】実施の形態にかかる開状態の携帯端末装置の背面図である。
【図３】実施の形態にかかる開状態の携帯端末装置の上面図である。
【図４】実施の形態にかかる開状態の携帯端末装置の下面図である。
【図５】実施の形態にかかる開状態の携帯端末装置の側面図である。
【図６】実施の形態にかかる閉状態の携帯端末装置の側面図である。
【図７】実施の形態にかかる閉状態の携帯端末装置の正面図である。
【図８】実施の形態にかかる閉状態の携帯端末装置の背面図である。
【図９】実施の形態にかかる閉状態の携帯端末装置の上面図である。
【図１０】実施の形態にかかる閉状態の携帯端末装置の下面図である。
【図１１】実施の形態にかかる閉状態の携帯端末装置の側面図である。
【図１２】実施の形態にかかる閉状態の携帯端末装置の側面図である。
【図１３】関連する携帯端末装置における筐体のずれを説明するための図である。
【図１４】実施の形態にかかる開状態の携帯端末装置の背面透視図である。
【図１５】実施の形態にかかる第１の筐体の断面図である。
【図１６】実施の形態にかかる第２の筐体の断面図である。
【図１７】実施の形態にかかる携帯端末装置内部の部品配置を説明するための図である。
【図１８】実施の形態にかかる携帯端末装置内部の部品配置を説明するための図である。
【図１９】実施の形態にかかるバッテリカバーの外面図である。
【図２０】実施の形態にかかるバッテリカバーの内面図である。
【図２１】実施の形態にかかるバッテリカバーの側面図である。
【図２２】実施の形態にかかる携帯端末装置の変形例を示す図である。
【図２３】実施の形態にかかる携帯端末装置の変形例を示す図である。
【発明を実施するための形態】
【００１０】
以下、図面を参照して本発明の実施の形態について説明する。
図１〜図６は、携帯端末装置１の開状態を示す図である。図１は、本実施の形態にかかる携帯端末装置１の開状態における正面図である。図２は、携帯端末装置１の開状態における背面図である。図３は、携帯端末装置１の開状態における上面図である。図４は、携帯端末装置１の開状態における下面図である。図５及び図６は、携帯端末装置１の開状態における側面図である。
【００１１】
また、図７〜図１２は、携帯端末装置１の閉状態を示す図である。図７は、本実施の形態にかかる携帯端末装置１の閉状態における正面図である。図８は、携帯端末装置１の閉状態における背面図である。図９は、携帯端末装置１の閉状態における上面図である。図１０は、携帯端末装置１の閉状態における下面図である。図１１及び図１２は、携帯端末装置１の閉状態における側面図である。なお、本実施の形態にかかる携帯端末装置１は、例えばスマートフォン、タブレット型の携帯端末装置、携帯電話、ゲーム機、電子書籍端末などである。
【００１２】
＜携帯端末装置１の外観構成＞
始めに、図１〜図１２を参照して、携帯端末装置１の外観構成について説明する。本実施の形態にかかる携帯端末装置１は、第１の筐体１０と、第２の筐体２０と、を備える。携帯端末装置１は、第１の筐体１０と第２の筐体２０との間にヒンジ３０を備える（例えば、図１及び図２参照）。
【００１３】
ヒンジ３０（連結部）は、第１の筐体１０と第２の筐体２０とを開閉可能に連結する。より詳細には、ヒンジ３０は、第１の筐体１０と第２の筐体２０とを回転軸を中心に開閉可能に連結する。言い換えると、ヒンジ３０は、携帯端末装置１が閉状態（第１の状態）から開状態（第２の状態）へ、または、開状態（第２の状態）から閉状態（第１の状態）へと変化可能に、第１の筐体１０と第２の筐体２０とを連結する。なお、閉状態において、第１の筐体１０と第２の筐体２０とは、筐体の厚み方向において重なっている（図９〜図１２参照）。
【００１４】
また、ヒンジ３０は、閉状態において第１の筐体１０の主面１００ａ（第１の面）と第２の筐体２０の主面２００ａ（第２の面）とをそれぞれ外側に向けて連結する（図７〜図１０参照）。言い換えると、ヒンジ３０は、閉状態において、主面１００ａと主面２００ａとが反対方向を向くように、第１の筐体１０と第２の筐体２０とを連結する。また、ヒンジ３０は、閉状態（第１の状態）から開状態（第２の状態）に回転軸を中心に第１筐体１０と第２筐体２０とを相対回転する。そして、ヒンジ３０は、閉状態における第１及び第２の筐体１０、２０を保持し、開状態における第１及び第２の筐体１０、２０を保持する
【００１５】
第１の筐体１０は、主面１００ａ上に、表示部１１と、レシーバ１２と、近接センサ１３と、を備える（図１参照）。第１の筐体１０の主面１００ａは、略矩形である。より詳細には、主面１００ａは、携帯端末装置１の上側（図１における上側）（第１の方向）の短辺１０１ａと、携帯端末装置１の下側（図１における下側）（第２の方向）の短辺１０１ｂと、短辺１０１ａ、１０１ｂを挟む長辺１０１ｃ、１０１ｄにより構成される平面である。主面１００ａ（第１の面）は、第１の筐体１０を構成する面のうち、最も広い面であって、閉状態において携帯端末装置１の外側を向く平面である。
【００１６】
表示部１１（第１の表示部）は、例えばＬＣＤ（Liquid Crystal Display）であり、第１の筐体１０内部に格納されたサブ基板（図示省略）の制御に応じて、画像を表示する。勿論、表示部１１は、ＬＣＤに限られず、他の表示デバイス（有機ＥＬ（Electro Luminescence）等）であってもよい。表示部１１は、略矩形状であり、主面１００ａの略中央に位置する。なお、表示部１１は、タッチパネル等の操作部を備える（図示省略）。
【００１７】
レシーバ１２は、通話時において、通話相手の音声を出力する。また、レシーバ１２は、通話時以外において、動画や音楽等の音声を出力するスピーカとしても動作する。第１の筐体１０は、主面１００ａ上であって、ヒンジ３０の回転軸と平行な第１の方向（図１における上側）の端部に、レシーバ１２を備える。つまり、レシーバ１２は、表示部１１よりも上側に位置する。言い換えると、レシーバ１２は、短辺１０１ａと表示部１１との間に位置する。また、レシーバ１２は、主面１００ａの短手方向の略中央に位置する。
【００１８】
近接センサ１３は、物体（ユーザの顔など）が主面１００ａへ接近したことを検知するセンサである。第１の筐体１０は、主面１００ａ上であって、ヒンジ３０の回転軸と平行な第１の方向（図１における上側）の端部に、近接センサ１３を備える。つまり、近接センサ１３は、表示部１１よりも上側に位置する。近接センサ１３は、レシーバ１２よりもヒンジ３０側に位置する。
【００１９】
第２の筐体２０は、表示部２１と、カメラ２２と、ライト２３と、メインマイク２４と、スピーカ２５と、サブマイク２６と、を備える（図１参照）。第２の筐体２０の主面２００ａは、略矩形である。より詳細には、主面２００ａは、携帯端末装置１の上側（図１における上側）の短辺２０１ａと、携帯端末装置１の下側（図１における下側）の短辺２０１ｂと、短辺２０１ａ、２０１ｂを挟む長辺２０１ｃ、２０１ｄにより構成される平面である。主面２００ａ（第２の面）は、第２の筐体２０を構成する面のうち、最も広い面であって、閉状態において携帯端末装置１の外側を向く平面である。
【００２０】
表示部２１（第２の表示部）は、例えばＬＣＤであり、第２の筐体２０内部に格納されたメイン基板（図示省略）の制御に応じて、画像を表示する。勿論、表示部２１は、ＬＣＤに限られず、他の表示デバイス（有機ＥＬ等）であってもよい。表示部２１は、略矩形状であり、主面２００ａの略中央に位置する。なお、表示部２１は、タッチパネル等の操作部を備える（図示省略）。
【００２１】
カメラ２２は、図示しない撮像素子を有する。カメラ２２は、ユーザの操作に応じて撮像処理を実行し、画像データや動画データを生成する。カメラ２２は、表示部２１よりも短辺２０１ａ側に位置する。言い換えると、カメラ２２は、短辺２０１ａと表示部２１との間に位置する。
【００２２】
ライト２３は、カメラ２２のフラッシュ撮影等に応じて発光する。ライト２３は、カメラ２２の近傍に位置する。
【００２３】
メインマイク２４は、周囲の音を収音するマイク装置である。具体的には、メインマイク２４は、通話時におけるユーザの声や、動画撮影時における周囲の音声等を収音する。
【００２４】
スピーカ２５は、通話時（ハンズフリー通話）において、通話相手の音声を出力する。また、スピーカ２５は、通話時以外において、音声付き動画や音楽等の音声を出力する。
【００２５】
メインマイク２４及びスピーカ２５は、第２の筐体２０の側面のうち、ヒンジ３０の回転軸と平行な第１の方向（図１における上側）と逆の方向である第２の方向の端部（図１における下側）の側面２００ｂ（第２の筐体２０の下面）に位置する（図４参照）。メインマイク２４は、スピーカ２５よりもヒンジ３０側（第１の筐体１０側）に位置する。本実施の形態においては、第１の筐体１０の側面１００ｂと第２の筐体２０の側面２００ｂとは、略同一面に位置する。なお、第１の筐体１０の側面１００ｃ（第１の筐体１０の上面）と第２の筐体２０の側面２００ｃ（第２の筐体２０の上面）も同様に、略同一面に位置する。
【００２６】
サブマイク２６は、周囲の音を収音するマイク装置である。具体的には、サブマイク２６は、通話時（ハンズフリー通話）におけるユーザの声や、動画撮影時における周囲の音声等を収音する。サブマイク２６は、第２の筐体２０の上側の側面２００ｃ（第２の筐体２０の上面）に位置する（図３参照）。より詳細には、サブマイク２６は、メインマイク２４が設けられた面（側面２００ｂ）と反対側の側面２００ｃに位置する。
【００２７】
＜携帯端末装置１の背面構成＞
ここで、携帯端末装置１の背面の構成について説明する。図２及び図５に示すように、第１の筐体１０は、背面１００ｄ（第１の背面）に、第１の領域６１と第２の領域６２とを有する。第２の領域６２は、第１の領域６１よりも第１の筐体１０の上側（第１の方向側）に位置する。第１の領域６１における第１の筐体１０の厚みは、第２の領域６２における第１の筐体１０の厚みよりも薄い（図５参照）。
【００２８】
第１の筐体１０は、第１の領域６１を含む肉厚部１０２と、第２の領域６２を含む肉薄部１０３と、を有する。肉厚部１０２は、肉薄部１０３よりも、筐体の厚みが厚い部分である。肉厚部１０２及び肉薄部１０３は、第１の筐体１０の長手方向に並んで位置している。肉厚部１０２は、肉薄部１０３よりも第１の方向側に位置する。第１の筐体１０は、肉厚部１０２内部に後述するサブ基板を有する。
【００２９】
また、図２及び図６に示すように、第２の筐体２０は、背面２００ｄ（第２の背面）に、第３の領域６３と第４の領域６４とを有する。第４の領域６４は、第３の領域６３よりも第２の筐体２０の上側（第１の方向側）に位置する。第４の領域６４における第２の筐体２０の厚みは、第３の領域６３における第２の筐体２０の厚みよりも薄い（図６参照）。
【００３０】
第２の筐体２０は、第３の領域６３を含む肉厚部２０２と、第４の領域６４を含む肉薄部２０３と、を有する。肉厚部２０２は、肉薄部２０３よりも、筐体の厚みが厚い部分である。肉厚部２０２及び肉薄部２０３は、第２の筐体２０の長手方向に並んで位置している。肉厚部２０２は、肉薄部２０３よりも第１の方向側に位置する。第２の筐体２０は、肉厚部２０２内部に後述するバッテリを有し、肉薄部２０３内部に後述するメイン基板を有する。
【００３１】
図１１に示すように、携帯端末装置１の閉状態においては、第１の筐体１０の肉薄部１０３（第１の領域６１）と第２の筐体２０の肉厚部２０２（第３の領域６３）とが対向する。また、第１の筐体１０の肉厚部１０２（第２の領域６２）と第２の筐体２０の肉薄部２０３（第４の領域６４）とが対向する。このように、携帯端末装置１の閉状態において、筐体の厚みの厚い部分と薄い部分とがそれぞれ対向する。このため、携帯端末装置１は、閉状態における携帯端末装置１全体の厚みを低減でき、薄型化を実現できる。
【００３２】
このとき、図５に示すように、肉厚部１０２は、肉薄部１０３よりも高さｄ１だけ厚みがある。このため、第１の筐体１０の背面１００ｄには、段差部１０４（第１の段差部）が生じる。より詳細には、第１の筐体１０は、肉厚部１０２（第２の領域６２）と肉薄部１０３（第１の領域６１）との間に、段差部１０４を有する。また、図６に示すように、肉厚部２０２は、肉薄部２０３よりも高さｄ２だけ厚みがある。このため、第２の筐体２０の背面２００ｄには、段差部２０４（第２の段差部）が生じる。より詳細には、第２の筐体２０は、肉厚部２０２（第３の領域６３）と肉薄部２０３（第４の領域６４）との間に、段差部２０４を有する。そして、携帯端末装置１の閉状態において、段差部１０４と段差部２０４とは対向する。なお、図５に示すように、肉厚部１０２は、段差部１０４（一点鎖線）よりも上側（第１の方向側）に位置し、肉薄部１０３は、段差部１０４よりも下側（第２の方向側）に位置する。同様に、図６に示すように、肉薄部２０３は、段差部２０４（一点鎖線）よりも上側（第１の方向側）に位置し、肉厚部２０２は、段差部２０４よりも下側（第２の方向側）に位置する。
【００３３】
そのため、図１１に示すように、携帯端末装置１の閉状態において、段差部１０４と段差部２０４とが係合する。したがって、図１３に示すように、第２の筐体２０が、携帯端末装置１の厚み方向を軸として、第１の筐体１０に対して回転しようとした場合であっても、段差部１０４の高さ方向の面１０５と段差部２０４の高さ方向の面２０５とが当接する（図１１参照）。その結果、携帯端末装置１は、第２の筐体２０が第１の筐体１０に対して回転（図１３の矢印で示す方向への回転）することを規制できる。
【００３４】
また、段差部１０４の高さｄ１と段差部２０４の高さｄ２とは略同じ高さである。そのため、第１の筐体１０の背面１００ｄと第２の筐体２０の背面２００ｄとは、略隙間なく接する。これにより、携帯端末装置１の閉状態において、第１の筐体１０と第２の筐体２０との間には無駄な隙間が発生しない。その結果、携帯端末装置１は、閉状態の携帯端末装置１の厚みをさらに低減でき、携帯端末装置１の薄型化を図ることができる。
【００３５】
なお、閉状態において、対向する面（本実施の形態の背面１００ｄ、２００ｄに対応する面）に表示部を有する折り畳み式の携帯端末装置の場合、それぞれの筐体に肉厚部と肉薄部を有すると、表示部に段差部が生じてしまう。そのため、表示部の視認性が落ちる等の問題が生じてしまう。これに対して、本実施の形態にかかる携帯端末装置１の構成によれば、表示部１１、２１がそれぞれ外側を向いている。このため、携帯端末装置１は、表示部１１、２１の視認性を低下させることなく、携帯端末装置１の薄型化を実現できる。
【００３６】
＜携帯端末装置１の内部構成＞
続いて、本実施の形態にかかる携帯端末装置１の内部構成について説明する。図１４は、第１の筐体１０及び第２の筐体２０に収容された部品の配置を示す図である。図１４は、携帯端末装置１を背面から見た透視図であり、図２に対応する。図１５は、図１４のＡ−Ａ断面図である。つまり、図１５は、第１の筐体１０の長手方向の断面図である。図１６は、図１４のＢ−Ｂ断面図である。つまり、図１６は、第２の筐体２０の長手方向の断面図である。
【００３７】
まず、第１の筐体１０の内部構成について説明する。第１の筐体１０は、サブアンテナ１４と、サブ基板１５と、を筐体内部に有する。サブアンテナ１４は、第１の筐体１０の長手方向端部（第１の方向の端部）に位置する。サブアンテナ１４は、サブ基板１５に接続される。
【００３８】
サブ基板１５は、図示しない回路素子や接続コネクタを有する。ここで、回路素子は、例えば表示部１１を駆動するためのプロセッサ、メモリ等の集積回路装置等である。なお、サブ基板１５は、表示部１１を駆動させるために必要最小限のデバイスのみを搭載している。そのため、後述するメイン基板２７よりも、基板の厚みが薄い。サブ基板１５は、第１の筐体１０の長手方向の中央部よりも上側（第１の方向側）に位置する。
【００３９】
また、図１５に示すように、第１の筐体１０は、上側筐体１１０と、下側筐体１２０と、を有する。上側筐体１１０と下側筐体１２０とは、第１の筐体１０の厚み方向に隣接し、互いに固定されている。下側筐体１２０は、上側筐体１１０の背面１００ｄ側に位置する。
【００４０】
上側筐体１１０は、表示部１１を収容する。下側筐体１２０は、レシーバ１２、サブアンテナ１４、及びサブ基板１５を収容する。言い換えると、第１の筐体１０の肉厚部１０２は、レシーバ１２、サブアンテナ１４、及びサブ基板１５を有する。サブ基板１５の厚み（筐体の厚み方向におけるサブ基板１５の幅）が、段差部１０４の高さｄ１に影響する。つまり、サブ基板１５の厚みで、段差部１０４の高さｄ１が決まる。段差部１０４は、サブ基板１５よりも、第１の筐体１０の下側（第２の方向側）に位置する。
【００４１】
次に、第２の筐体２０の内部構成について説明する。第２の筐体２０は、カメラ２２と、スピーカ２５と、メイン基板２７と、バッテリ２８と、メインアンテナ２９と、を筐体内部に有する。
【００４２】
メイン基板２７（第２の基板）は、図示しない回路素子を有する。ここで、回路素子は、例えば携帯端末装置１を駆動するためのプロセッサ、メモリ、通信モジュール等の集積回路装置や、表示部２１を駆動するためのプロセッサ等、カメラ２２を制御する回路等である。本実施の形態においては、メイン基板２７は、第２の筐体２０の長手方向の中央部よりも上側（第１の方向側）に位置する。
【００４３】
メイン基板２７は、ヒンジ同軸ケーブル４１を介して、サブ基板１５と接続される。ヒンジ同軸ケーブル４１は、ヒンジ３０内部を通る配線である。なお、ヒンジ３０は、長手方向の両端部にヒンジユニット４０を有する。ヒンジユニット４０は、第１の筐体１０及び第２の筐体２０を開閉可能に連結している。
【００４４】
バッテリ２８は、メイン基板２７や、サブ基板１５、表示部１１、２１に電源を供給する。バッテリ２８は、例えばリチウムイオン二次電池である。バッテリ２８は、メイン基板２７よりも下側（第２の方向側）に位置する。なお、第２の筐体２０は、バッテリカバー５０を有する（図１６参照）。バッテリカバー５０は、バッテリ２８を覆って第２の筐体２０に固定されている。バッテリカバー５０は、バッテリ２８が第２の筐体２０から脱落することを防止する。
【００４５】
メインアンテナ２９は、第２の筐体２０の長手方向端部（第２の方向側の端部）に位置する。メインアンテナ２９は、アンテナ同軸ケーブル４２を介して、メイン基板２７に接続される。アンテナ同軸ケーブル４２は、ヒンジ３０内部を通る配線である。
【００４６】
また、図１６に示すように、第２の筐体２０は、上側筐体２１０と、下側筐体２２０と、を有する。上側筐体２１０と下側筐体２２０とは、第２の筐体２０の厚み方向に隣接し、互いに固定されている。下側筐体２２０は、上側筐体２１０の背面２００ｄ側に位置する。
【００４７】
上側筐体２１０は、表示部２１を収容する。下側筐体２２０は、カメラ２２、スピーカ２５、メイン基板２７、バッテリ２８、及びメインアンテナ２９を収容する。言い換えると、第２の筐体２０の肉厚部２０２は、スピーカ２５、バッテリ２８、及びメインアンテナ２９を有する。第２の筐体２０の肉薄部２０３は、カメラ２２及びメイン基板２７を有する。
【００４８】
このとき、メイン基板２７の厚みは、バッテリ２８の厚みよりも薄い。勿論、サブ基板１５の厚みも、バッテリ２８の厚みよりも薄い。メイン基板２７の厚み（筐体の厚み方向におけるメイン基板２７の幅）と、バッテリ２８の厚み（筐体の厚み方向におけるバッテリ２８の幅）と、の差が、段差部２０４の高さｄ２に影響する。つまり、メイン基板２７の厚みとバッテリ２８の厚みとの差で、段差部２０４の高さｄ２が決まる。段差部２０４は、バッテリ２８よりも、第２の筐体２０の上側（第１の方向側）に位置する。
【００４９】
＜メイン基板２７、バッテリ２８、及びサブ基板１５の配置＞
ここで、メイン基板２７、バッテリ２８、及びサブ基板１５の配置について、図１７及び図１８を参照して詳細に説明する。図１７は、携帯端末装置１の開状態におけるメイン基板２７、バッテリ２８、及びサブ基板１５の配置を説明するための模式図である。図１８は、携帯端末装置１の閉状態におけるメイン基板２７、バッテリ２８、及びサブ基板１５の配置を説明するための模式図である。なお、図１７は、携帯端末装置１の背面から見た図である（図１４に対応）。図１８は、第１の筐体１０の主面１００ａから見た図である（図７に対応）。
【００５０】
図１７に示すように、携帯端末装置１の開状態では、平面視において、メイン基板２７とサブ基板１５とは、ヒンジ３０を介して、ヒンジ３０の回転軸と直交する方向（図１７の左右方向）に並んで位置している。
【００５１】
また、携帯端末装置１の開状態では、平面視において、メイン基板２７とバッテリ２８とは、ヒンジ３０の回転軸と平行な方向（図１７の上下方向）に並んで位置している。このため、メイン基板２７とバッテリ２８とが、ヒンジ３０の回転軸と直交する方向に並んで位置している場合に比べて、携帯端末装置１は、ヒンジ３０の回転軸と直交する方向における筐体幅を狭くすることができる。
【００５２】
さらに、メイン基板２７とバッテリ２８とは、平面視において、重なっていない。つまり、メイン基板２７とバッテリ２８との間には、クリアランスが存在する。言い換えると、メイン基板２７とバッテリ２８とは、平面視において、離れて位置している。
【００５３】
このとき、第１の筐体１０は、メイン基板２７、バッテリ２８、及びサブ基板１５のうち、最も薄い部品であるサブ基板１５を有している。一方、第２の筐体２０は、サブ基板１５よりも厚い部品であるメイン基板２７及びバッテリ２８を有している。つまり、携帯端末装置１は、メイン基板２７、バッテリ２８、及びサブ基板１５のうち、厚みのある部品（メイン基板２７及びバッテリ２８）を第２の筐体２０側に集めている。そのため、第１の筐体１０は、サブ基板１５及び表示部１１のみを収容可能な厚みであればよい。したがって、携帯端末装置１は、第１の筐体１０の厚みを薄くすることができる。
【００５４】
加えて、図１８に示すように、携帯端末装置１の閉状態では、平面視において、メイン基板２７とサブ基板１５とは、重なっている。つまり、携帯端末装置１の厚み方向において、メイン基板２７は、サブ基板１５と対向している。このため、メイン基板２７とサブ基板１５とが重なっていない場合に比べて、携帯端末装置１は、第１及び第２の筐体１０、２０の主面１００ａ、２００ａの面積を小さくすることができる。つまり、携帯端末装置１は、携帯端末装置１の小型化を実現できる。
【００５５】
また、携帯端末装置１の閉状態では、平面視において、サブ基板１５とバッテリ２８とは、重なっていない。つまり、サブ基板１５とバッテリ２８との間には、クリアランスが存在する。言い換えると、サブ基板１５とバッテリ２８とは、平面視において、離れて位置している。サブ基板１５とバッテリ２８とは、ヒンジ３０の回転軸と平行な方向（図１８の上下方向）に並んでいる。
【００５６】
なお、携帯端末装置１の閉状態におけるメイン基板２７とサブ基板１５との位置関係は、携帯端末装置１の開状態における位置関係と同様である。つまり、メイン基板２７とバッテリ２８とは、ヒンジ３０の回転軸と平行な方向（図１７の上下方向）に並んで位置している。また、携帯端末装置１の閉状態では、平面視において、重なっていない。つまり、メイン基板２７とバッテリ２８との間には、クリアランスが存在する。言い換えると、メイン基板２７とバッテリ２８とは、平面視において、離れて位置している。
【００５７】
このように、携帯端末装置１の閉状態では、平面視において、メイン基板２７とバッテリ２８とが重なっておらず、サブ基板１５とバッテリ２８とが重なっていない。つまり、メイン基板２７及びサブ基板１５よりも厚みのあるバッテリ２８が、携帯端末装置１の厚み方向において、他の基板と重ならない。そのため、携帯端末装置１は、厚みが厚くなることを抑制でき、薄型化を図ることができる。
【００５８】
＜バッテリカバー５０の構成＞
続いて、第２の筐体２０に設けられたバッテリカバー５０の構成について、図１９〜図２１を参照して説明する。図１９は、バッテリカバー５０の外面を示す図である。図２０は、バッテリカバー５０の内面を示す図である。図２１は、バッテリカバー５０の側面を示す図である。なお、バッテリカバー５０は、第２の筐体２０の背面２００ｄ側に固定されている（図１６参照）。
【００５９】
図１９に示すように、バッテリカバー５０の外面は、略矩形状の平面である。バッテリカバー５０は、長手方向端部にフック５１を有する（図２０及び図２１も併せて参照）。フック５１は、バッテリカバー５０の長手方向に突出する突起部５１１を有する（図２１参照）。突起部５１１が、第２の筐体２０の背面２００ｄに設けられた溝部（図示省略）と係合する。これにより、バッテリカバー５０が、第２の筐体２０に固定される。なお、図１６に示すように、突起部５１１は、第２の筐体２０の下側（第２の方向側）に向かって突出している。
【００６０】
また、図２０及び図２１に示すように、バッテリカバー５０は、内面に複数のサブフック５２を有する。より詳細には、バッテリカバー５０は、内面の長辺に沿った位置に、それぞれ３つのサブフック５２を有する。また、バッテリカバー５０は、長手方向端部（フック５１が設けられた端部とは反対側の端部）の短手方向中央部にサブフック５２を１つ有する。
【００６１】
サブフック５２は、バッテリカバー５０の長手方向であって、第２の筐体２０の下側（第２の方向側）に向かって突出する突起部５２１を有する（図２１参照）。つまり、サブフック５２の突起部５２１は、フック５１の突起部５１１と同じ方向に突出している。突起部５２１が、第２の筐体２０の背面２００ｄに設けられた溝部（図示省略）と係合する。これにより、バッテリカバー５０が、第２の筐体２０に固定される。
【００６２】
なお、バッテリカバー５０は、フック５１が設けられた端部の反対側の端部に、屈曲部５３を有する。屈曲部５３は、バッテリカバー５０の内面方向に向かって折れ曲がっている。図１６に示すように、屈曲部５３が、第２の筐体２０の背面２００ｄの段差部２０４を形成する。
【００６３】
次に、バッテリカバー５０の取り外し方法及び取り付け方法について説明する。バッテリカバー５０を、第２の筐体２０から取り外す場合、バッテリカバー５０を第２の筐体２０の上側（第１の方向側）に向かってスライドさせる。これにより、フック５１及びサブフック５２と、第２の筐体２０の背面２００ｄの溝部と、の係合が外れる。その後、バッテリカバー５０の屈曲部５３を持ち上げることにより、バッテリカバー５０を取り外すことができる。
【００６４】
一方、バッテリカバー５０を、第２の筐体２０に取り付ける場合、バッテリカバー５０がバッテリ２８を覆うように、バッテリカバー５０を第２の筐体２０の背面２００ｄに載せる。そして、バッテリカバー５０を第２の筐体２０の下側（第２の方向側）にスライドさせる。これにより、フック５１及びサブフック５２と、第２の筐体２０の背面２００ｄの溝部と、が係合する。その結果、バッテリカバー５０が第２の筐体２０に固定される。
【００６５】
このとき、バッテリカバー５０のフック５１及びサブフック５２の係りが弱く、フック５１及びサブフック５２が溝部の奥まで入っていない場合、バッテリカバー５０の適切な固定位置よりも、バッテリカバー５０が第２の筐体２０の上側（第１の方向側）にずれる。つまり、屈曲部５３が、第２の筐体２０の上側（第１の方向側）にずれる。その結果、第２の筐体２０の段差部２０４の位置が、第２の筐体２０の上側（第１の方向側）にずれてしまい、第１の筐体１０の段差部１０４の位置と対応しなくなる。
【００６６】
このため、ユーザが携帯端末装置１を折り畳もうとする場合、第１の筐体１０の段差部１０４と第２の筐体２０の段差部２０４とが係合しない。つまり、屈曲部５３（段差部２０４）が、第１の筐体１０の肉厚部１０２と当接し、携帯端末装置１を完全に折り畳むことができない。
【００６７】
したがって、ユーザは、携帯端末装置１を完全に折り畳めない場合に、バッテリカバー５０が完全に取り付けられていないことを認識することができる。その結果、携帯端末装置１は、バッテリカバー５０が脱落してしまうことを未然にユーザに知らせて、バッテリカバー５０の紛失を防止できる。
【００６８】
以上のように、本実施の形態にかかる携帯端末装置１の構成によれば、ヒンジ３０が、第１の筐体１０と第２の筐体２０とを回転軸を中心に連結する。また、第１の筐体１０は、サブ基板１５を収容する。第２の筐体２０は、メイン基板２７及びバッテリ２８を収容する。そして、携帯端末装置１の閉状態において、サブ基板１５とバッテリ２８とが平面視で重なっていない。そのため、バッテリ２８は、厚み方向において、サブ基板１５と重ならない。したがって、携帯端末装置１は、閉状態における厚みが厚くなることを抑制できる。その結果、携帯端末装置１は、携帯端末装置１の薄型化を実現できる。
【００６９】
なお、本発明を上記実施形態に即して説明したが、上記実施形態の構成にのみ限定されるものではなく、本願特許請求の範囲の請求項の発明の範囲内で当業者であればなし得る各種変形、修正、組み合わせを含むことは勿論である。
【００７０】
メイン基板２７、サブ基板１５、及びバッテリ２８の配置は、上記の実施の形態で示したものに限られない。例えば、図２２に示すように、メイン基板２７、サブ基板１５、及びバッテリ２８の全ての部品が、携帯端末装置１の閉状態において、平面視で互いに重ならないように配置されていてもよい。また、図２３に示すように、メイン基板２７及びサブ基板１５と、バッテリ２８とが、ヒンジ３０の回転軸と直交する方向に並んでいてもよい。
【００７１】
図２２及び図２３に示した例においても、携帯端末装置１の閉状態において、メイン基板２７とバッテリ２８とが平面視で重なっておらず、かつ、サブ基板１５とバッテリ２８とが平面視で重なっていない。そのため、携帯端末装置１の薄型化を実現できる。ただし、図２２及び図２３に示した例においては、メイン基板２７及びサブ基板１５が、平面視において重なっていないため、携帯端末装置１のヒンジ３０の回転軸方向の幅や、回転軸と直交する方向の幅が大きくなる。つまり、上記の実施の形態にかかる携帯端末装置１のように、閉状態において、平面視でメイン基板２７及びサブ基板１５が重なることにより、携帯端末装置１は更なる小型化を実現できる。
【符号の説明】
【００７２】
１  携帯端末装置
１０  第１の筐体
１１  表示部
１２  レシーバ
１３  近接センサ
１４  サブアンテナ
１５  サブ基板
２０  第２の筐体
２１  表示部
２２  カメラ
２３  フラッシュ
２４  メインマイク
２５  スピーカ
２６  サブマイク
２７  メイン基板
２８  バッテリ
２９  メインアンテナ
３０  ヒンジ
４０  ヒンジユニット
４１  ヒンジ同軸ケーブル
４２  アンテナ同軸ケーブル
５０  バッテリカバー
５１  フック
５２  サブフック
５３  屈曲部
１０２、２０２  肉厚部
１０３、２０３  肉薄部
１０４、２０４  段差部
５１１、５２１  突起部
【図１】
2014068153.tif 000003
【図２】
2014068153.tif 000004
【図３】
2014068153.tif 000005
【図４】
2014068153.tif 000006
【図５】
2014068153.tif 000007
【図６】
2014068153.tif 000008
【図７】
2014068153.tif 000009
【図８】
2014068153.tif 000010
【図９】
2014068153.tif 000011
【図１０】
2014068153.tif 000012
【図１１】
2014068153.tif 000013
【図１２】
2014068153.tif 000014
【図１３】
2014068153.tif 000015
【図１４】
2014068153.tif 000016
【図１５】
2014068153.tif 000017
【図１６】
2014068153.tif 000018
【図１７】
2014068153.tif 000019
【図１８】
2014068153.tif 000020
【図１９】
2014068153.tif 000021
【図２０】
2014068153.tif 000022
【図２１】
2014068153.tif 000023
【図２２】
2014068153.tif 000024
【図２３】
2014068153.tif 000025